(57)【要約】【課題】特定の消費者に、利用制限のあるクーポン券を低コストで提供するとともに、提供者側の意図しない利用を防止する。【解決手段】顧客ＩＤと、クーポン券の種類に対応する広告ＩＤと、これらのＩＤから生成したハッシュ値とを符号化したバーコードを含むクーポン券のデータを、提供サーバ１から消費者端末２に送って印刷させる。クーポン券が利用される店舗では、クーポン券から読取ったバーコードデータが店舗端末４から利用管理サーバ５に送られ、利用の可否の確認が要求される。利用管理サーバ５は、バーコードデータ中のハッシュ値からの改ざんの有無の確認結果と、顧客ＩＤ及び広告ＩＤ毎のクーポン券の利用履歴とから、今回の利用の可否を確認し、確認結果を店舗端末４に通知する。【選択図】図１
2008129870.tif 000002
【特許請求の範囲】
【請求項１】
提供サーバと、消費者端末と、店舗端末と、利用管理サーバとがネットワークに接続されており、
前記提供サーバは、
クーポン券提供部と、
顧客ＩＤを記憶するための顧客ＩＤ記憶部と、
クーポン券の種類を識別する広告ＩＤを記憶した広告ＩＤ記憶部と、
ハッシュ関数を用いてハッシュ値を生成するハッシュ値生成部と、
数値をバーコードに符号化するバーコード符号化部と、
バーコードを含むクーポン券の画像データを生成する画像データ生成部と
を備えており、
前記クーポン券提供部は、前記消費者端末からのクーポン券の要求を受け付け、該要求を行った顧客の顧客ＩＤを顧客ＩＤ記憶部に記憶し、該顧客ＩＤと、前記広告ＩＤ記憶部内の広告ＩＤのうち該要求のあったクーポン券に対応する広告ＩＤとから前記ハッシュ値生成部でハッシュ値を生成させ、該顧客ＩＤ，該広告ＩＤ及び該ハッシュ値を前記バーコード符号化部でバーコードに符号化させ、該バーコードを含むクーポン券の画像データを前記画像データ生成部に生成させて、該画像データを特定するためのクーポンデータを前記要求のあった前記消費者端末に送信し、
前記消費者端末は、
前記提供サーバにクーポン券を要求して、前記クーポンデータを受信するクーポン受信部と、
前記クーポン受信部で受信した前記クーポンデータを、該消費者端末に接続されたプリンタに転送して、前記クーポン券の印刷を指示する印刷制御部と
を備え、
前記店舗端末は、
クーポン券からバーコードを読み取るバーコード読み取り部と、
前記バーコード読み取り部で読み取ったバーコードデータを前記利用管理サーバに送って、前記クーポン券の利用の可否についてのデータ確認要求を行うデータ確認部と
を備え、
前記利用管理サーバは、
前記店舗端末から前記バーコードデータを受信して前記データ確認要求を受け付けるデータ受付部と、
前記データ受付部で受信したバーコードデータのバーコードを復号する復号化部と、
前記復号化部で復号されたバーコード中の前記顧客ＩＤ，前記広告ＩＤ，前記ハッシュ値をそれぞれ記憶するためのハッシュ値記憶部，顧客ＩＤ記憶部，広告ＩＤ記憶部と、
前記顧客ＩＤ記憶部内の顧客ＩＤと、前記広告ＩＤ記憶部内の広告ＩＤとから、前記提供サーバ内の前記ハッシュ値生成部と同じハッシュ関数を用いてハッシュ値を生成するハッシュ値生成部と、
前記ハッシュ値生成部で生成されたハッシュ値と前記ハッシュ値記憶部内のハッシュ値との同一性の有無によってクーポン券の改ざんの有無を確認する改ざん確認部と、
前記顧客ＩＤ及び前記広告ＩＤ毎のクーポン券の利用履歴を記憶するための履歴記憶部と、
前記改ざん確認部での改ざんの有無の確認結果と、前記顧客ＩＤ記憶部内の顧客ＩＤ及び前記広告ＩＤ記憶部内の広告ＩＤについての前記履歴記憶部内の利用履歴とに基づいて、今回のクーポン券の利用の可否を確認し、該確認の結果を前記店舗端末に通知するとともに、今回の利用が可能である場合には前記履歴記憶部に今回の利用の履歴を記憶させる利用制限確認部と
を備えたことを特徴とする発券管理システム。
【請求項２】
請求項１に記載の発券管理システムにおいて、
前記提供サーバは、クーポン券の利用条件の情報を記憶するための利用条件記憶部
をさらに備え、
前記提供サーバの前記クーポン券提供部は、
前記顧客ＩＤと前記広告ＩＤと前記利用条件の情報とから前記ハッシュ値生成部でハッシュ値を生成させ、該顧客ＩＤ，該広告ＩＤ，該利用条件の情報及び該ハッシュ値を前記バーコード符号化部でバーコードに符号化させて、該バーコードを含むクーポン券の画像データを前記クーポン券の画像データ生成部に生成させ、
前記利用管理サーバの前記利用制限確認部は、前記復号化部で復号されたバーコード中の前記利用条件の情報に基づき、今回の利用が利用制限の範囲内にあるか否かを確認する
ことを特徴とする発券管理システム。
【請求項３】
請求項１に記載の発券管理システムにおいて、
前記提供サーバは、
暗号キーを記憶した暗号キー記憶部と、
前記バーコード符号化部によってバーコードに符号化される前の前記顧客ＩＤ，前記広告ＩＤ及び前記ハッシュ値の少なくとも一部を、前記暗号キー記憶部内の暗号キーを用いて暗号化する暗号化部と
をさらに備え、
前記利用管理サーバは、
暗号キーを記憶するための暗号キー記憶部
をさらに備え、
前記利用管理サーバの前記復号化部は、復号したバーコード中の前記顧客ＩＤ，前記広告ＩＤ，前記ハッシュ値のうちの暗号化されている部分を、前記暗号キー記憶部内の暗号キーを用いて復号する
ことを特徴とする発券管理システム。
【請求項４】
クーポン券提供部と、
顧客ＩＤを記憶するための顧客ＩＤ記憶部と、
クーポン券の種類を識別する広告ＩＤを記憶した広告ＩＤ記憶部と、
ハッシュ値を生成するハッシュ値生成部と、
数値をバーコードに符号化するバーコード符号化部と、
バーコードを含むクーポン券の画像データを生成する画像データ生成部と
を備えており、
前記クーポン券提供部は、ネットワーク経由で外部の端末からのクーポン券の要求を受け付け、該要求を行った顧客の顧客ＩＤを顧客ＩＤ記憶部に記憶し、該顧客ＩＤと、前記広告ＩＤ記憶部内の広告ＩＤのうち該要求のあったクーポン券に対応する広告ＩＤとから前記ハッシュ値生成部でハッシュ値を生成させ、該顧客ＩＤ，該広告ＩＤ及び該ハッシュ値を前記バーコード符号化部でバーコードに符号化させ、該バーコードを含むクーポン券の画像データを前記画像データ生成部に生成させて、該画像データを特定するためのクーポンデータを前記要求のあった前記外部の端末に送信する
ことを特徴とする提供サーバ。
【請求項５】
請求項４に記載の提供サーバにおいて、
クーポン券の利用条件の情報を記憶するための利用条件記憶部
をさらに備え、
前記クーポン券提供部は、
前記顧客ＩＤと前記広告ＩＤと前記利用条件の情報とから前記ハッシュ値生成部でハッシュ値を生成させ、該顧客ＩＤ，該広告ＩＤ，該利用条件の情報及び該ハッシュ値を前記バーコード符号化部でバーコードに符号化させて、該バーコードを含むクーポン券の画像データを前記クーポン券の画像データ生成部に生成させる
ことを特徴とする提供サーバ。
【請求項６】
請求項４に記載の提供サーバにおいて、
暗号キーを記憶した暗号キー記憶部と、
前記バーコード符号化部によってバーコードに符号化される前の前記顧客ＩＤ，前記広告ＩＤ及び前記ハッシュ値の少なくとも一部を、前記暗号キー記憶部内の暗号キーを用いて暗号化する暗号化部と
をさらに備えたことを特徴とする提供サーバ。
【請求項７】
顧客ＩＤと、広告ＩＤと、前記顧客ＩＤ及び前記広告ＩＤから生成されたハッシュ値と
が符号化されたバーコードデータをネットワーク経由で外部の端末から受信して、クーポン券の利用の可否についてのデータ確認要求を受け付けるデータ受付部と、
前記データ受付部で受信したバーコードデータのバーコードを復号する復号化部と、
前記復号化部で復号されたバーコード中の前記顧客ＩＤ，前記広告ＩＤ，前記ハッシュ値をそれぞれ記憶するためのハッシュ値記憶部，顧客ＩＤ記憶部，広告ＩＤ記憶部と、
前記顧客ＩＤ記憶部内の顧客ＩＤと、前記広告ＩＤ記憶部内の広告ＩＤとからハッシュ値を生成するハッシュ値生成部と、
前記ハッシュ値生成部で生成されたハッシュ値と前記ハッシュ値記憶部内のハッシュ値との同一性の有無によってクーポン券の改ざんの有無を確認する改ざん確認部と、
前記顧客ＩＤ及び前記広告ＩＤ毎のクーポン券の利用履歴を記憶するための履歴記憶部と、
前記改ざん確認部での改ざんの有無の確認結果と、前記顧客ＩＤ記憶部内の顧客ＩＤ及び前記広告ＩＤ記憶部内の広告ＩＤについての前記履歴記憶部内の利用履歴とに基づいて、今回のクーポン券の利用の可否を確認し、該確認の結果を前記店舗端末に通知するとともに、今回の利用が可能である場合には前記履歴記憶部に今回の利用の履歴を記憶させる利用制限確認部と
を備えたことを特徴とする利用管理サーバ。
【請求項８】
請求項７に記載の利用管理サーバにおいて、
前記バーコードデータは、顧客ＩＤと、広告ＩＤと、クーポン券の利用条件の情報と、前記顧客ＩＤ，前記広告ＩＤ及び前記利用条件の情報から生成されたハッシュ値とが符号化されており、
前記利用制限確認部は、前記復号化部で復号されたバーコード中の前記利用条件の情報に基づき、今回の利用が利用制限の範囲内にあるか否かを確認する
ことを特徴とする利用管理サーバ。
【請求項９】
請求項７に記載の利用管理サーバにおいて、
暗号キーを記憶するための暗号キー記憶部
をさらに備え、
前記復号化部は、復号したバーコード中の前記顧客ＩＤ，前記広告ＩＤ，前記ハッシュ値のうちの暗号化されている部分を、前記暗号キー記憶部内の暗号キーを用いて復号する
ことを特徴とする利用管理サーバ。
【発明の詳細な説明】
【技術分野】
【０００１】
本発明は、特定の消費者に、利用制限のあるクーポン券を提供するためのシステム及びサーバに関する。
【背景技術】
【０００２】
従来から、消費者が店舗において商品の購入などを行なう際に、クーポン券を利用して割引を受けることが可能である。通常、クーポン券は、新聞の折り込み広告として提供されたり、街中でパンフレットと同時に手渡されたり、また特定の利用者のみに限定したクーポン券などはダイレクトメールなどで郵送することにより提供されている。また、クーポン券の提供相手を限定せず、期間を限定したり、一枚あたりの購入商品数や適用人数を制限したりするだけのクーポン券については、インターネット上のウェブページで提供され、消費者自らのプリンタで印刷し、利用することが可能である。
【０００３】
しかしながら、消費者の年齢や性別、購買履歴等々により消費者を分類し、さらに、クーポン券もそれにわせて利用形態を分け、クーポン券の狙いを絞る場合を考えると、街中で相手を確認しながらクーポン券を手渡したり、ダイレクトメールを送付したりするなど、多くのコストが必要となってしまう。
【０００４】
また、インターネットによりクーポン券を提供し、消費者が自ら印刷した場合には提供コストは低下するが、この場合は消費者が自由に印刷できることになるので、何枚も印刷してしまって友人に配布してしまう可能性があるほか、クーポン券上で管理情報を提供するバーコードの規格はＪＩＳ規格などで公開されており、また、印刷するのはスキャナがついたプリンタや画像を編集できるパソコンであるため、クーポン券の割引情報や管理情報などを書き換えて印刷し、提供側が意図しない利用が行なわれる可能性もある。
【０００５】
逆に、一回しか印刷を認めないようにするとプリンタの印刷失敗に対応できず、たとえ出力枚数を制限したとしても、消費者みずから準備する用紙にはすかしなどないため、スキャナで取り込まれれば複製も改ざんも可能である。
【０００６】
一方、非接触ＩＣカードなどを用いた携帯電話にクーポン券情報をダウンロードして、携帯電話の非接触ＩＣカードをクーポン券代わりに店舗端末に近づけ、クーポン券を利用することも最近は出来るようになってきた。しかし、このような端末の利用者はいまだ限定されている他、どこの店舗でも利用可能な設備があるわけでもなく、紙でできたクーポン券は非常に高い利便性を持っている。
【０００７】
このように、特定の消費者にターゲットを絞って、無制限な利用ではなく、利用制限をかけた、どこでも使えるクーポン券を提供するためには、手渡しや郵送に依存しており、クーポン券の提供コストが高い。そのため、消費者には割引率が低くなったり、クーポン券が提供されず、また、提供側としてもクーポン券により狙った顧客を呼んだり、その利用をマーケティングデータとして取得するコストが高くなってしまっている。
【０００８】
なお、文献上、クーポン券に関連する発明としては、次のようなものが提案されている。
・クーポン券にバーコードとＯＣＲ文字列とを所定の位置関係で印刷しておき、小売店に収集されたクーポン券からこのバーコード及びＯＣＲ文字列を読み取ることにより、顧客動向情報や清算情報を生成するもの（特許文献１）。
・チラシや情報提供サイトにアクセスした消費者しかクーポン券を利用できないとい問題点（段落０００５）を解決するために、ユーザシステム１０２（段落００３５〜００３７，図１）と、ユーザシステム１０２でのクーポン券の発券管理を行う管理サーバ１０１（段落００３８〜００４２，図１）とを設け、ユーザシステム１０２を所有するユーザが、複数枚のクーポン券を印刷して他の消費者に手渡し等で配布する（段落００６９）もの（特許文献２）。
【０００９】
しかし、上記特許文献１に記載の発明は、消費者が利用を済ませたクーポン券から提供者側が有効な情報を得るようにしたものであり、消費者にクーポン券を提供する方法に関するものではない。
【００１０】
また、上記特許文献２に記載の発明では、実際にクーポン券を利用する消費者には、従来と同様手渡し等でクーポン券を配布するので、配布を行ったユーザに対価の還元を払う（段落００６９）ことによってやはりクーポン券の提供コストがかかる。また、クーポン券の印刷出力枚数を制限した例（請求項３，段落００７４〜００７９，図１３）も存在しており、あくまで、一般の消費者のプリンタで自由に印刷するのではなく、管理サーバ１０１によって管理される特殊なユーザシステム１０２において印刷することを念頭においたものである。
【００１１】
【特許文献１】特開昭６３−３１１４７４号公報
【特許文献２】特開２００５−３１６５７９号公報
【発明の開示】
【発明が解決しようとする課題】
【００１２】
本発明は、上述の点に鑑み、特定の消費者に、利用回数などが無制限でないクーポン券を低コストで提供できるとともに、提供者側の意図しない利用を防止できるようにすることを課題とする。
【課題を解決するための手段】
【００１３】
上記課題を解決するために、本発明に係る発券管理システムは、
提供サーバと、消費者端末と、店舗端末と、利用管理サーバとがネットワークに接続されており、
前記提供サーバは、
クーポン券提供部と、
顧客ＩＤを記憶するための顧客ＩＤ記憶部と、
クーポン券の種類を識別する広告ＩＤを記憶した広告ＩＤ記憶部と、
ハッシュ値を生成するハッシュ値生成部と、
数値をバーコードに符号化するバーコード符号化部と、
バーコードを含むクーポン券の画像データを生成する画像データ生成部と
を備えており、
前記クーポン券提供部は、前記消費者端末からのクーポン券の要求を受け付け、該要求を行った顧客の顧客ＩＤを顧客ＩＤ記憶部に記憶し、該顧客ＩＤと、前記広告ＩＤ記憶部内の広告ＩＤのうち該要求のあったクーポン券に対応する広告ＩＤとから前記ハッシュ値生成部でハッシュ値を生成させ、該顧客ＩＤ，該広告ＩＤ及び該ハッシュ値を前記バーコード符号化部でバーコードに符号化させ、該バーコードを含むクーポン券の画像データを前記画像データ生成部に生成させて、該画像データを特定するためのクーポンデータを前記要求のあった前記消費者端末に送信し、
前記消費者端末は、
前記提供サーバにクーポン券を要求して、前記クーポンデータを受信するクーポン受信部と、
前記クーポン受信部で受信した前記クーポンデータを、該消費者端末に接続されたプリンタに転送して、前記クーポン券の印刷を指示する印刷制御部と
を備え、
前記店舗端末は、
クーポン券からバーコードを読み取るバーコード読み取り部と、
前記バーコード読み取り部で読み取ったバーコードデータを前記利用管理サーバに送って、前記クーポン券の利用の可否についてのデータ確認要求を行うデータ確認部と
を備え、
前記利用管理サーバは、
前記店舗端末から前記バーコードデータを受信して前記データ確認要求を受け付けるデータ受付部と、
前記データ受付部で受信したバーコードデータのバーコードを復号する復号化部と、
前記復号化部で復号されたバーコード中の前記顧客ＩＤ，前記広告ＩＤ，前記ハッシュ値をそれぞれ記憶するためのハッシュ値記憶部，顧客ＩＤ記憶部，広告ＩＤ記憶部と、
前記顧客ＩＤ記憶部内の顧客ＩＤと、前記広告ＩＤ記憶部内の広告ＩＤとからハッシュ値を生成するハッシュ値生成部と、
前記ハッシュ値生成部で生成されたハッシュ値と前記ハッシュ値記憶部内のハッシュ値との同一性の有無によってクーポン券の改ざんの有無を確認する改ざん確認部と、
前記顧客ＩＤ及び前記広告ＩＤ毎のクーポン券の利用履歴を記憶するための履歴記憶部と、
前記改ざん確認部での改ざんの有無の確認結果と、前記顧客ＩＤ記憶部内の顧客ＩＤ及び前記広告ＩＤ記憶部内の広告ＩＤについての前記履歴記憶部内の利用履歴とに基づいて、今回のクーポン券の利用の可否を確認し、該確認の結果を前記店舗端末に通知するとともに、今回の利用が可能である場合には前記履歴記憶部に今回の利用の履歴を記憶させる利用制限確認部と
を備えたことを特徴とする。
【００１４】
この発券管理システムでは、消費者端末からネットワーク経由で提供サーバにクーポン券を要求すると、要求したクーポン券の画像（顧客ＩＤと、要求のあったクーポン券に対応する広告ＩＤと、これらのＩＤから生成したハッシュ値とを符号化したバーコードを含む画像）を特定するためのクーポンデータが、提供サーバから消費者端末に送信される。そして、このクーポンデータに基づき、消費者端末に接続されたプリンタでクーポン券が印刷される。消費者は、このように、消費者端末に接続されたプリンタで、バーコードさえ印刷可能な用紙であれば自由な用紙を用いて自らクーポン券を印刷することにより、手渡しなどに頼らず、必要なときにすぐにクーポン券を入手することができる。
【００１５】
入手したクーポン券を店舗で利用する際には、店舗端末によってクーポン券上のバーコードが読み取られ、そのバーコードデータが店舗端末からネットワーク経由で利用管理サーバに送られて、そのクーポン券の利用の可否についてのデータ確認要求が行われる。
【００１６】
利用管理サーバでは、バーコードデータに含まれていたハッシュ値を利用したクーポン券の改ざんの有無の確認結果と、クーポン券の利用履歴から、今回のクーポン券の利用の可否が確認されて、その確認結果が店舗端末に通知される。店舗端末を設置した店舗では、利用が可能であるという通知を受けた場合のみ、消費者にクーポン券の利用を許可することができる。
【００１７】
このようにして、特定の消費者に、利用回数などが無制限でないクーポン券を、自ら印刷させることによって手渡しなどよりも低コストで提供することができ、しかも、印刷に失敗した場合やクーポン券を紛失した場合に自由に再印刷を認めながらも、改ざんによる利用や利用制限を越えた利用といった提供者側の意図しない態様でのクーポン券の利用を防止することができる。
【００１８】
次に、本発明に係る提供サーバは、
クーポン券提供部と、
顧客ＩＤを記憶するための顧客ＩＤ記憶部と、
クーポン券の種類を識別する広告ＩＤを記憶した広告ＩＤ記憶部と、
ハッシュ値を生成するハッシュ値生成部と、
数値をバーコードに符号化するバーコード符号化部と、
バーコードを含むクーポン券の画像データを生成する画像データ生成部と
を備えており、
前記クーポン券提供部は、ネットワーク経由で外部の端末からのクーポン券の要求を受け付け、該要求を行った顧客の顧客ＩＤを顧客ＩＤ記憶部に記憶し、該顧客ＩＤと、前記広告ＩＤ記憶部内の広告ＩＤのうち該要求のあったクーポン券に対応する広告ＩＤとから前記ハッシュ値生成部でハッシュ値を生成させ、該顧客ＩＤ，該広告ＩＤ及び該ハッシュ値を前記バーコード符号化部でバーコードに符号化させ、該バーコードを含むクーポン券の画像データを前記画像データ生成部に生成させて、該画像データを特定するためのクーポンデータを前記要求のあった前記外部の端末に送信する
ことを特徴とする。
【００１９】
また、本発明に係る利用管理サーバは、
顧客ＩＤと、広告ＩＤと、前記顧客ＩＤ及び前記広告ＩＤから生成されたハッシュ値と
が符号化されたバーコードデータをネットワーク経由で外部の端末から受信して、クーポン券の利用の可否についてのデータ確認要求を受け付けるデータ受付部と、
前記データ受付部で受信したバーコードデータのバーコードを復号する復号化部と、
前記復号化部で復号されたバーコード中の前記顧客ＩＤ，前記広告ＩＤ，前記ハッシュ値をそれぞれ記憶するためのハッシュ値記憶部，顧客ＩＤ記憶部，広告ＩＤ記憶部と、
前記顧客ＩＤ記憶部内の顧客ＩＤと、前記広告ＩＤ記憶部内の広告ＩＤとからハッシュ値を生成するハッシュ値生成部と、
前記ハッシュ値生成部で生成されたハッシュ値と前記ハッシュ値記憶部内のハッシュ値との同一性の有無によってクーポン券の改ざんの有無を確認する改ざん確認部と、
前記顧客ＩＤ及び前記広告ＩＤ毎のクーポン券の利用履歴を記憶するための履歴記憶部と、
前記改ざん確認部での改ざんの有無の確認結果と、前記顧客ＩＤ記憶部内の顧客ＩＤ及び前記広告ＩＤ記憶部内の広告ＩＤについての前記履歴記憶部内の利用履歴とに基づいて、今回のクーポン券の利用の可否を確認し、該確認の結果を前記店舗端末に通知するとともに、今回の利用が可能である場合には前記履歴記憶部に今回の利用の履歴を記憶させる利用制限確認部と
を備えたことを特徴とする。
【００２０】
これらの提供サーバ，利用管理サーバは、前述の本発明に係る発券管理システムの構成要素であり、他のサーバや端末とともに本発明に係る発券管理システムを構成して、特定の消費者に、利用回数などが無制限でないクーポン券を低コストで提供するとともに、提供者側の意図しない利用を防止することができる。
【発明の効果】
【００２１】
本発明によれば、特定の消費者に、利用回数などが無制限でないクーポン券を低コストで提供するとともに、改ざんによる利用や利用制限を越えた利用といった提供者側の意図しない態様でのクーポン券の利用を防止することができるという効果が得られる。
【発明を実施するための最良の形態】
【００２２】
以下、本発明の実施の形態について図面を用いて説明する。図１は、本発明を適用した発券管理システムの全体構成を示す図である。この発券管理システムは、ブロードバンド接続機能を有するデジタルテレビ向けのポータルサービスを行う会社が運営するものであり、このポータルサービス会社が保有・管理する提供サーバ１及び利用管理サーバ５と、個々の消費者宅のデジタルテレビ（消費者端末に該当）２及びプリンタ３と、クーポン券の利用先である各店舗（商品が販売される店舗や、サービスが提供される店舗）に設置された店舗端末４とが、インターネット６に接続されている。
【００２３】
図２は、提供サーバ１の機能的な構成を示すブロック図であり、ネットワークＩＦ（インターフェース）部１０と各記憶部１３〜１６，２０とはハードウェアで構成され、それ以外の部分はソフトウェアで構成される。
【００２４】
顧客ＩＤ記憶部１３は、クーポン券を要求した消費者の顧客ＩＤ（事前のユーザ登録によって消費者に付与したＩＤ）を記憶するためのものである。
【００２５】
広告ＩＤ記憶部１４は、クーポン券の種類を識別する広告ＩＤを記憶するためのものである。利用条件記憶部１５は、各広告ＩＤ毎に、クーポン券の利用条件の情報（割引対象，割引率，利用回数，利用期間，利用時間帯等の情報）を記憶するためのものである。広告画像記憶部１６は、各広告ＩＤに毎に、クーポン券に掲載する広告の画像データを記憶するためのものである。これらの記憶部１４〜１６に記憶される広告ＩＤや利用条件情報や広告画像データは、ポータルサービス会社にクーポン券の発券を依頼する販売母体（商品を販売する企業や、サービスを提供する企業）から、インターネット等を介して供給される。
【００２６】
ハッシュ値生成部１８は、顧客ＩＤ記憶部１３内の顧客ＩＤと、広告ＩＤ記憶部１４内の広告ＩＤと、利用条件記憶部１５内の利用条件情報とから、ハッシュ関数を用いてハッシュ値を生成するものである。ハッシュ値生成部１８で用いるハッシュ関数としては、例えば、顧客ＩＤ，広告ＩＤ，利用条件情報のそれぞれ下位の所定数の数字または記号を表すＡＳＣＩＩコードを合計するというものが挙げられる。
【００２７】
暗号キー記憶部２０には、提供サーバ１の設定時に、暗号キーとして共通鍵が記憶されている。暗号キー調整部１２は、利用管理サーバ５（図１）からの要求に基づき、暗号キー記憶部２０内の共通鍵を利用管理サーバ５（図１）に送信するものである。暗号化部２１は、顧客ＩＤ記憶部１３内の顧客ＩＤと、広告ＩＤ記憶部１４内の広告ＩＤと、利用条件記憶部１５内の利用条件情報と、ハッシュ値生成部１８で生成されたハッシュ値とのうちの一部（例えばハッシュ値のみであるとか顧客ＩＤのみ）または全部を、暗号キー記憶部２０内の共通鍵を用いて暗号化するものである。なお、暗号化や復号化の処理に必要な時間を短縮するためには、暗号化の範囲を全部ではなく一部に限定するほうが望ましい。
【００２８】
バーコード符号化部１９は、暗号化部２１によって暗号化された顧客ＩＤ，広告ＩＤ，利用条件情報及びハッシュ値を、ＪＩＳ規格等によって定められたバーコードに符号化するものである。図３は、バーコード符号化部１９でのバーコードの生成方法の一例を、ハッシュ値生成部１８及び暗号化部２１の処理とともに示す図である。顧客ＩＤと、広告ＩＤと、利用条件情報と、それらからハッシュ関数を用いて生成されたハッシュ値とが、暗号化された後、読み取りエラーの検出やエラー訂正を行うためのチェックビットを付与されて、バーコードのキャラクタＣ１〜Ｃｎに変換される。キャラクタＣ１〜Ｃｎの前後には、バーコードを正確に読み取れるようにするために、何も記述しないクワイエットゾーンや、バーコードの始点，終点を示すスタートキャラクタ，ストップキャラクタが設けられる。
【００２９】
図２において、クーポン生成部１７は、バーコード符号化部１９によって生成されたバーコードと広告画像記憶部１６内の広告画像データとを含んだクーポン券の画像データを生成して、その画像データを提供サーバ１内の特定のＵＲＬに保管するものである。
【００３０】
クーポン提供部１１は、デジタルテレビ２（図１）からの要求に基づき、前述のハッシュ値生成部１８，暗号化部２１，バーコード符号化部１９及びクーポン生成部１７を起動させ、クーポン生成部１７がクーポン券の画像データを保管したＵＲＬを示すデータを、
クーポンデータ（クーポン券の画像データを特定するためのデータ）としてデジタルテレビ２に送信するものである。
【００３１】
図１の各デジタルテレビ２は、ハードウェアとしては、ブロードバンド接続機能を有する通常のデジタルテレビである。こうしたデジタルテレビは、例えば、データ放送によって各種の商品やサービスの広告を行うとともに、それらの商品やサービスの割引等を受けるためのクーポン券をインターネット経由で取得させるという使用方法が可能である。
【００３２】
図４は、デジタルテレビ２のうち、本発明と関連する部分のみの機能的な構成を示すブロック図であり、ネットワークＩＦ部３１はハードウェアで構成され、それ以外の部分はソフトウェアで構成される。
【００３３】
クーポン受信部３０は、前述の顧客ＩＤを入力してログインした消費者がいずれかの商品またはサービスについてのクーポン券を選択する操作を行うことに基づき、提供サーバ１にクーポン券を要求して、前述のクーポンデータ（ＵＲＬを示すデータ）を受信するものである。
【００３４】
印刷制御部３２は、クーポン受信部３０で受信されたクーポンデータをインターネット６経由で同じ消費者宅のプリンタ３に転送して、クーポン券の印刷を指示するものである。プリンタ３は、この指示に基づき、クーポンデータが示すＵＲＬにアクセスして、クーポン券を印刷する。
【００３５】
図１の各店舗端末４は、バーコードスキャナ付きのレジスタ（金銭登録器）と、ネットワークＩＦ付きのコンピュータとから成る端末であり、既存のＰＯＳシステムと比較的似たハードウェア構成とすることができる。図５は、店舗端末４の機能的な構成を示すブロック図であり、バーコード読み取り部（バーコードスキャナ）４０と課金処理部（レジスタ）４２とネットワークＩＦ部４３とはハードウェアで構成され、データ確認部４１はソフトウェアで構成される。
【００３６】
データ確認部４１は、バーコード読み取り部４０でクーポン券から読み取ったバーコードデータを利用管理サーバ５（図１）に送って、そのクーポン券が利用可能であるか否かのデータ確認要求を行い、利用管理サーバ５から通知された確認結果に応じた金額（クーポン券が利用可能である場合にはクーポン券の割引率に従って割り引いた金額、クーポン券が利用不可能である場合には割り引かない金額）での課金処理を課金処理部４２に指示するものである。
【００３７】
図６は、図１の利用管理サーバ５の機能的な構成を示すブロック図であり、ネットワークＩＦ部５１と各記憶部５３，５５〜５８，６２とはハードウェアで構成され、それ以外の部分はソフトウェアで構成される。
【００３８】
データ受付部５０は、店舗端末４（図１，図５）からバーコードデータを受信して前述のデータ確認要求を受け付けるものである。
【００３９】
暗号キー記憶部５３は、暗号キーを記憶するためのものである。暗号キー調整部５４は、利用管理サーバ５の管理者の操作に基づき、提供サーバ１（図１，図２）に共通鍵を要求し、提供サーバ１から送られた共通鍵を暗号キー記憶部５３に記憶させるものである。
【００４０】
復号化部５２は、バーコードデータのバーコードを復号するとともに、復号したバーコード中の顧客ＩＤ，広告ＩＤ，利用条件情報，ハッシュ値（図３）のうちの暗号化されている部分を、暗号キー記憶部５３内の共通鍵を用いて復号するものである。
【００４１】
ハッシュ値記憶部５５，顧客ＩＤ記憶部５６，広告ＩＤ記憶部５７，利用条件記憶部５８は、復号化部５２で復号されたバーコード中の顧客ＩＤ，広告ＩＤ，利用条件情報，ハッシュ値をそれぞれ記憶するためのものである。
【００４２】
ハッシュ値生成部６０は、顧客ＩＤ記憶部５６内の顧客ＩＤと、広告ＩＤ記憶部５７内の広告ＩＤと、利用条件記憶部５８内の利用条件情報とから、提供サーバ１内のハッシュ値生成部１８（図２）と同じハッシュ関数を用いてハッシュ値を生成するものである。
【００４３】
改ざん確認部５９は、ハッシュ値生成部６０で生成されたハッシュ値とハッシュ値記憶部５５内のハッシュ値とを比較し、両者のハッシュ値が同じであればクーポン券の改ざんがなかったと判断し、両者のハッシュ値が異なっていればクーポン券が改ざんされていると判断するものである。
【００４４】
履歴記憶部６２は、顧客ＩＤ及び広告ＩＤ毎のクーポン券の利用履歴（各店舗での利用回数等）を記憶するためのものである。履歴登録部６１は、履歴記憶部６２への利用履歴の書き込みを行うものである。
【００４５】
利用制限確認部６３は、改ざん確認部５９での改ざんの有無の確認結果と、顧客ＩＤ記憶部５６内の顧客ＩＤ及び広告ＩＤ記憶部５７内の広告ＩＤについての履歴記憶部６２内の利用履歴と、利用条件記憶部５８内の利用条件情報とに基づき、今回のクーポン券の利用の可否を確認するものである。すなわち、改ざん確認部５９で改ざんされていると判断された場合には、無条件に、今回の利用が可能でないと判断する。他方、改ざん確認部５９で改ざんがなかったと判断された場合には、利用履歴と、利用条件情報中の利用回数等の利用制限の情報とに基づいて、今回の利用が利用制限の範囲内であるかを確認する。そして、利用制限の範囲を超えている場合には、今回の利用が可能でないと判断し、利用制限の範囲内である場合には、今回の利用が可能であると判断する。
【００４６】
利用制限確認部６３は、このような利用の可否の確認結果を店舗端末４に通知する（利用が可能である場合には利用条件情報中の割引対象や割引率の情報も併せて送信する）とともに、利用が可能である場合には、履歴登録部６１に対し、今回の利用を履歴記憶部６２内の利用履歴に追加することを指示する。
【００４７】
図７は、以上に延べた構成の発券管理システムのうちの提供サーバ１が実行する登録・提供処理を示すフローチャートである。この処理では、まず、いずれかのデジタルテレビ２からいずれかの商品またはサービスについてのクーポン券を要求されたのかを確認する（ステップＳ１）。要求された場合には、要求した顧客がログイン時に入力した顧客ＩＤを記憶し（ステップＳ３）、その顧客ＩＤと、広告ＩＤ記憶部１４内の広告ＩＤのうち要求されたクーポン券の広告ＩＤと、利用条件記憶部１５内の利用条件情報のうちその広告ＩＤのクーポン券についての利用条件情報とから、ハッシュ値を計算する（ステップＳ４）。
【００４８】
続いて、その顧客ＩＤ，広告ＩＤ，利用条件情報，ハッシュ値のうちの一部または全部を共通鍵で暗号化し（ステップＳ５）、暗号化した顧客ＩＤ，広告ＩＤ，利用条件情報及びハッシュ値をバーコードに符号化する（ステップＳ６）。そして、このバーコードと要求されたクーポン券の広告画像とを含んだクーポン券の画像データを生成し（ステップＳ７）、その画像データのＵＲＬを示すクーポンデータを、要求のあったデジタルテレビ２に送信して（ステップＳ８）、ステップＳ１に戻る。
【００４９】
ステップＳ１においてクーポン券が要求されていなかった場合には、利用管理サーバ５から暗号キーが要求されたのかを確認する（ステップＳ２）。要求されていなかった場合には、ステップＳ１に戻る。要求された場合には、暗号キー記憶部２０内の共通鍵を利用管理サーバ５に送信することによって提供サーバ１と利用管理サーバ５とで同じ共通鍵を利用可能にして（ステップＳ９）、ステップＳ１に戻る。
【００５０】
図８は、デジタルテレビ２が実行するクーポン取得処理を示すフローチャートである。この処理では、まず、顧客ＩＤを入力してログインした消費者がいずれかの商品またはサービスについてのクーポン券を選択する操作を行ったことに基づき、そのクーポン券を提供サーバ１に要求する（ステップＳ１１）。そして、提供サーバ１から送信されたクーポンデータ（ＵＲＬを示すデータ）を受信し（ステップＳ１２）、同じ消費者宅のプリンタ３にそのクーポンデータを転送してクーポン券の印刷を指示し（ステップＳ１３）、処理を終了する。
【００５１】
図９は、店舗端末４が実行する課金処理を示すフローチャートである。この処理では、まず、消費者が印刷して持参したクーポン券のバーコードを読み取り（ステップＳ２１）、読み取ったバーコードデータを利用管理サーバ５に送って、そのクーポン券が利用可能であるか否かのデータ確認要求を行う（ステップＳ２２）。そして、利用管理サーバ５から通知された利用の可否に応じた金額を課金して（ステップＳ２３）、処理を終了する。
【００５２】
図１０は、利用管理サーバ５が実行する登録・確認処理を示すフローチャートである。この処理では、まず、利用管理サーバ５の管理者によって暗号キーの取得操作が行われたかを確認する（ステップＳ３１）。取得操作が行なわれた場合には、提供サーバ１に暗号キーを要求し（ステップＳ３３）、提供サーバ１から送られた暗号キー（共通鍵）を暗号キー記憶部５３に記憶して（ステップＳ３４）、ステップＳ３１に戻る。
【００５３】
ステップＳ３１において取得操作が行なわれていなかった場合には、いずれかの店舗端末４からデータ確認要求があったかを確認する（ステップＳ３２）。データ確認要求がなかった場合には、ステップＳ３１に戻る。データ確認要求があった場合には、その店舗端末４から送られたバーコードデータを復号して顧客ＩＤ，広告ＩＤ，利用条件情報，ハッシュ値をそれぞれ記憶し（ステップＳ３５）、記憶した顧客ＩＤと広告ＩＤと利用条件情報とからハッシュ値を計算して（ステップＳ３６）、計算したハッシュ値と記憶したハッシュ値との同一性の有無により、クーポン券の改ざんの有無を確認する（ステップＳ３７）。
【００５４】
改ざんされていた場合には、そのクーポン券が利用できないことを、データ確認要求のあった店舗端末４に通知して（ステップＳ４０）、ステップＳ３１に戻る。
【００５５】
改ざんがなかった場合には、記憶した顧客ＩＤ，広告ＩＤ及び利用条件情報とその顧客ＩＤ及び広告ＩＤについてのクーポン券の利用履歴とから、今回の利用が利用制限の範囲内であるかを確認する（ステップＳ３８）。
【００５６】
利用制限の範囲を超えている場合には、そのクーポン券が利用できないことを、データ確認要求のあった店舗端末４に通知して（ステップＳ４０）、ステップＳ３１に戻る。利用制限の範囲内である場合には、今回の利用を利用履歴に追加し（ステップＳ３９）、そのクーポン券が利用可能であることを、データ確認要求のあった店舗端末４に通知して（ステップＳ４１）、ステップＳ３１に戻る。
【００５７】
図１１は、この発券管理システムにおいて授受されるデータ等を、販売母体も含めて示す図である（デジタルテレビ２と店舗端末４と販売母体６とは、図示の都合上１つずつ示している）。販売母体７からは、クーポン券の種類を識別する広告ＩＤや、広告ＩＤ毎のクーポン券の利用条件情報（割引対象，割引率，利用回数，利用期間，利用時間帯等）の情報や、各クーポン券に掲載する広告の画像データが提供サーバ１に送られる。
【００５８】
デジタルテレビ２からはクーポン券が提供サーバ１に要求され、提供サーバ１からはクーポンデータ（クーポン券の画像データが存在するＵＲＬのデータ）がデジタルテレビ２に送られる。デジタルテレビ２からは、このクーポンデータが同じ消費者宅のプリンタ３に転送されて、クーポン券の印刷が指示される。
【００５９】
利用管理サーバ５からは暗号キーが提供サーバ１に要求され、提供サーバ１からは暗号キーが利用管理サーバ５に送られる。
【００６０】
店舗端末４からはバーコードデータとともにデータ確認要求が利用管理サーバ５に送られ、利用管理サーバ５からはクーポン券の利用の可否の確認結果が店舗端末４に通知される。
【００６１】
次に、この発券管理システムにおいて、消費者にクーポン券が提供される様子や、そのクーポン券が利用される様子について説明する。
【００６２】
例えばデジタルテレビ２で或る商品を宣伝するデータ放送を視聴した消費者が、顧客ＩＤを入力してログインし、その商品についてのクーポン券を選択する操作を行うと、デジタルテレビ２から提供サーバ１にそのクーポン券が要求される。
【００６３】
そして、そのクーポン券の画像データ（顧客ＩＤと、そのクーポン券に対応する広告ＩＤと、そのクーポン券についての利用条件情報と、それらのＩＤ及び利用条件情報から生成したハッシュ値とを、一部または全部暗号化した後符号化したバーコードを含む画像）を特定するためのクーポンデータが、提供サーバ１からデジタルテレビ２に送信される。そして、このクーポンデータに基づき、同じ消費者宅のプリンタ３でクーポン券が印刷される。消費者は、このように、デジタルテレビ２に接続されたプリンタ３で、バーコードさえ印刷可能な用紙であれば自由な用紙を用いて自らクーポン券を印刷することにより、手渡しなどに頼らず、必要なときにすぐにクーポン券を入手することができる。
【００６４】
その消費者が、その商品が販売されている店舗でそのクーポン券を利用する際には、店舗端末４によってクーポン券上のバーコードが読み取られ、そのバーコードデータが店舗端末４から利用管理サーバ５に送られて、そのクーポン券が利用可能であるか否かのデータ確認要求が行われる。
【００６５】
利用管理サーバ５では、バーコードデータに含まれていたハッシュ値を利用したクーポン券の改ざんの有無の確認結果と、クーポン券の利用履歴から、今回のクーポン券の利用の可否が確認されて、その確認結果が店舗端末４に通知される。店舗端末４では、利用が可能であるという通知を受けた場合のみ、クーポン券の割引率に従って割り引いた金額で課金処理が行われる。
【００６６】
このようにして、特定の消費者（ポータルサービスを利用し、且つユーザ登録した消費者であるが、ユーザ登録時の年齢や性別等によってさらに対象を絞ってもよい）に、利用回数などが無制限でないクーポン券を、自ら印刷させることによって手渡しなどよりも低コストで提供することができ、しかも、印刷に失敗した場合やクーポン券を紛失した場合に自由に再印刷を認めながらも、改ざん（顧客ＩＤや割引対象，割引率，利用期間等の情報の書き換え）による利用や利用制限の範囲を越えた利用（複数枚印刷することによる利用回数を超えた利用等）といった提供者側の意図しない態様でのクーポン券の利用を防止することができる。
【００６７】
そして、販売母体は、このクーポン券の利用状況から、低コストで消費者の消費動向を正確に調べることができる。
【００６８】
最後に、以上に説明した発券管理システムの構成等に対する変更例をいくつか説明する。
〔変更例１〕
提供サーバ１，利用管理サーバ５が同じ共通鍵を用いて暗号化，復号化を行う代わりに、利用管理サーバ５が秘密鍵を暗号キー記憶部５３に記憶しておくとともに提供サーバ１がその秘密鍵と対になる公開鍵を暗号キー記憶部２０に記憶しておき、提供サーバ１がその公開鍵を用いて暗号化を行い、利用管理サーバ５がその秘密鍵を用いて復号化を行うようにしてもよい。それにより、提供サーバ１と利用管理サーバ５との間で暗号キーを送受信する必要がなくなるので、暗号キーをより安全に管理することが可能になる。
【００６９】
〔変更例２〕
上記変更例１のように秘密鍵及び公開鍵を用いる場合に、利用管理サーバ５の機能のうち、クーポン券の改ざんの有無を確認する機能である図６の復号化部５２，暗号キー記憶部５３，暗号キー調整部５４，ハッシュ値記憶部５５，顧客ＩＤ記憶部５６，広告ＩＤ記憶部５７，利用条件記憶部５８，改ざん確認部５９及びハッシュ値生成部６０の機能を個々の店舗端末４のほうに移し、利用管理サーバ５では今回のクーポン券の利用が利用制限の範囲内であるかの確認のみを行うようにしてもよい。それにより、店舗端末４の数が多い場合などに利用管理サーバ５の負荷を低減することが可能になる。
【００７０】
〔変更例３〕
提供サーバ１，利用管理サーバ５はいずれもポータルサービス会社が保有するものなので、１台のサーバに提供サーバ１としての機能と利用管理サーバ５としての機能とを併せ持たせるようにしてもよい。それにより、ネットワーク経由で暗号キーを授受する必要がなくなるので、暗号キーをより安全に管理することが可能になる。
【００７１】
〔変更例４〕
処理時間を短縮する観点から、提供サーバ１において、顧客ＩＤ，広告ＩＤ，利用条件情報及びハッシュ値を、暗号化することなくバーコードに符号化するようにしてもよい。そうした場合にも、利用管理サーバ５の側ではハッシュ値の同一性の有無によって改ざんの有無を確認することが可能である。ただし、暗号化しない場合にはクーポン券のバーコードそのものから顧客ＩＤや広告ＩＤや利用条件情報が見破られる可能性が皆無ではないので、改ざんをより確実に防止するためには暗号化を行うことが望ましい。
【００７２】
〔変更例５〕
クーポン券の利用回数や利用期間等の利用制限を示す情報を、販売母体から提供サーバ１に供給してクーポン券のバーコードの一部とする代わりに、販売母体から利用管理サーバ５に供給して、利用管理サーバ５で顧客ＩＤ及び広告ＩＤ毎にその情報を記憶しておく（利用制限確認部６３はその記憶している情報に基づいて利用制限の範囲内であるかの確認を行う）ようにしてもよい。
【００７３】
〔変更例６〕
プリンタ３をインターネットに接続せずにＵＳＢ等でデジタルテレビ２に接続し、提供サーバ１からクーポンデータ（クーポン券の画像データを特定するためのデータ）としてクーポン券の画像データそのものをデジタルテレビ２に送信し、この画像データをデジタルテレビ２がプリンタ３に送って印刷を行わせるようにしてもよい。
【００７４】
〔変更例７〕
顧客ＩＤとして、ユーザ登録した消費者に付与したＩＤではなく、デジタルテレビ２の機器ＩＤを用いるようにしてもよい。
【００７５】
〔変更例８〕
提供サーバ１・利用管理サーバ５間をインターネットではなく専用ネットワークで接続したり、店舗端末４・利用管理サーバ５間をインターネットではなく専用ネットワークで接続してもよい。
【００７６】
〔変更例９〕
デジタルテレビ２以外のネットワーク接続可能な端末（例えばパーソナルコンピュータや携帯情報端末等）を消費者端末として使用してもよい。また、例えばテレビ放送を用いずにインターネットのみを用いて商品やサービスを広告してクーポン券を取得させる場合には、提供サーバ１及び利用管理サーバ５を、ポータルサービス会社ではなくネットワーク上でショッピングサイト等を運営する会社が保有・管理するようにしてもよい。
【図面の簡単な説明】
【００７７】
【図１】本発明を適用した発券管理システムの全体構成を示す図である。
【図２】図１の提供サーバの機能的な構成を示すブロック図である。
【図３】提供サーバでのバーコードの生成方法を例示する図である。
【図４】デジタルテレビのうち、本発明と関連する部分のみの機能的な構成を示すブロック図である。
【図５】図１の店舗端末の機能的な構成を示すブロック図である。
【図６】図１の利用管理サーバの機能的な構成を示すブロック図である。
【図７】図１の提供サーバの処理を示すフローチャートである。
【図８】クーポン券取得のための図１のデジタルテレビの処理を示すフローチャートである。
【図９】図１の店舗端末の処理を示すフローチャートである。
【図１０】図１の利用管理サーバの処理を示すフローチャートである。
【図１１】図１の発券管理システムにおいて授受されるデータ等を示す図である。
【符号の説明】
【００７８】
１  提供サーバ、  ２  デジタルテレビ、  ３  プリンタ、  ４  店舗端末、  ５  利用管理サーバ、  ６  インターネット、  １０  ネットワークＩＦ部、  １１  クーポン提供部、  １２  暗号キー調整部、  １３  顧客ＩＤ記憶部、  １４  広告ＩＤ記憶部、  １５  利用条件記憶部、  １６  広告画像記憶部、  １７  クーポン生成部、  １８  ハッシュ値生成部、  １９  バーコード符号化部、  ２０  暗号キー記憶部、  ２１  暗号化部、  ３０  クーポン受信部、  ３１  ネットワークＩＦ部、  ３２  印刷制御部、  ４０  バーコード読み取り部、  ４１  データ確認部、  ４２  課金処理部、  ４３  ネットワークＩＦ部、  ５０  データ受付部、  ５１  ネットワークＩＦ部、  ５２  復号化部、  ５３  暗号キー記憶部、  ５４  暗号キー調整部、  ５５  ハッシュ値記憶部、  ５６  顧客ＩＤ記憶部、  ５７  広告ＩＤ記憶部、  ５８  利用条件記憶部、  ５９  改ざん確認部、  ６０  ハッシュ値生成部、  ６１  履歴登録部、  ６２  履歴記憶部、  ６３  利用制限確認部
【図１】
2008129870.tif 000003
【図２】
2008129870.tif 000004
【図３】
2008129870.tif 000005
【図４】
2008129870.tif 000006
【図５】
2008129870.tif 000007
【図６】
2008129870.tif 000008
【図７】
2008129870.tif 000009
【図８】
2008129870.tif 000010
【図９】
2008129870.tif 000011
【図１０】
2008129870.tif 000012
【図１１】
2008129870.tif 000013